(57)【要約】【課題】  複数の放送信号のうちから１つを選択する操作を容易にすること。【解決手段】  携帯通信装置は、第１筐体と、第１筐体と相対的に移動可能に連結された第２筐体と、第１筐体が第２筐体に相対する相対位置と、複数の放送信号の識別情報とをそれぞれ対応付ける対応付テーブルと、第１筐体の第２筐体に相対する相対位置を検出する位置検出部（Ｓ０５）と、所定の操作を検出する操作検出部（Ｓ０７、Ｓ０８）と、複数の放送信号のうちから所定の操作が検出されたときに位置検出部により検出された相対位置に対応付けられた放送信号を選択する選択部（Ｓ０９）と、を備える。【選択図】        図８
2009218747.tif 000002
【特許請求の範囲】
【請求項１】
第１筐体と、
前記第１筐体と相対的に移動可能に連結された第２筐体と、
前記第１筐体が前記第２筐体に相対する相対位置と複数の放送信号とをそれぞれ対応付ける対応付手段と、
前記第１筐体の前記第２筐体に相対する相対位置を検出する位置検出手段と、
所定の操作を検出する操作検出手段と、
前記操作検出手段により前記所定の操作が検出されたときに前記複数の放送信号のうちから前記位置検出手段により検出された相対位置に対応付けられた放送信号を選択する選択手段と、を備えた携帯通信装置。
【請求項２】
前記位置検出手段は、前記第１筐体が前記第２筐体に相対して移動可能な第１の相対位置と第２の相対位置との間における前記第１筐体が前記第２筐体に相対する相対位置を検出する、請求項１に記載の携帯通信装置。
【請求項３】
前記選択手段は、前記第１筐体が前記第１の相対位置から前記第２の相対位置に移動する間に前記操作検出手段により複数の前記所定の操作が検出された場合、前記操作検出手段により前記複数の所定の操作が検出されたときに前記位置検出手段によりそれぞれ検出された複数の相対位置にそれぞれ対応付けられた複数の放送信号を候補信号として選択する候補選択手段と、
前記複数の候補信号が選択された後、前記第１筐体が前記第２の筐体に対して前記第２の相対位置から前記第１の相対位置の方向に移動した後、前記複数の候補信号のうちから前記位置検出手段により所定のタイミングで検出された相対位置に対応付けられた候補信号を選択する放送信号に決定する決定手段とを含む、請求項２に記載の携帯通信装置。
【請求項４】
前記第１筐体に設けられ、前記受信された放送信号の映像を表示する表示手段をさらに備え、
前記表示手段は、前記第２の相対位置において前記映像を表示する場合に、前記第１の相対位置において前記映像を表示するサイズ以上のサイズで前記映像を表示する、請求項１〜３のいずれかに記載の携帯通信装置。
【請求項５】
前記第２筐体に設けられ、前記受信された放送信号の映像を表示可能な別の表示手段をさらに備え、
前記別の表示手段は、前記第１筐体が前記第１の相対位置から前記第２の相対位置の間に位置するとき、前記受信された放送信号の映像を表示する、請求項１〜４のいずれかに記載の携帯通信装置。
【請求項６】
前記操作検出手段は、前記位置検出手段により検出される相対位置が予め定められた範囲内となる時間を計時する計時手段を含み、前記計時手段により所定時間が計時されると前記所定の操作を検出する、請求項１に記載の携帯通信装置。
【請求項７】
前記操作検出手段は、予め定められたボタンを指示する操作を検出する、請求項１に記載の携帯通信装置。
【請求項８】
携帯通信装置で実行される放送信号切換方法であって、
前記携帯通信装置は、
第１筐体と、
前記第１筐体と相対的に移動可能に連結された第２筐体と、を備え、
前記第１筐体が前記第２筐体に相対する相対位置と複数の放送信号とをそれぞれ対応付けるステップと、
前記第１筐体の前記第２筐体に相対する相対位置を検出するステップと、
前記複数の放送信号のうちから前記検出された相対位置に対応付けられた放送信号を選択するステップと、を含む放送信号切換方法。
【請求項９】
携帯通信装置で実行される放送信号切換プログラムであって、
前記携帯通信装置は、
第１筐体と、
前記第１筐体と相対的に移動可能に連結された第２筐体と、を備え、
前記第１筐体が前記第２筐体に相対する相対位置と複数の放送信号とをそれぞれ対応付けるステップと、
前記第１筐体の前記第２筐体に相対する相対位置を検出するステップと、
前記複数の放送信号のうちから前記検出された相対位置に対応付けられた放送信号を選択するステップと、を前記携帯通信装置を制御するためのコンピュータに実行させる放送信号切換プログラム。
【発明の詳細な説明】
【技術分野】
【０００１】
この発明は、携帯通信装置、放送信号切換方法および放送信号切換プログラムに関し、特に、複数の放送信号のいずれかを選択して受信する携帯通信装置、その携帯通信装置により実行される放送信号切換方法および放送信号切換プログラムに関する。
【背景技術】
【０００２】
携帯電話機は、テレビジョン受信機能を有するものがある。テレビジョンの放送信号は複数あり、複数の放送信号のうちからいずれかを選択すれば、選択された放送信号が受信され、映像が表示される。放送信号を選択する場合、携帯電話機に備え付けられたボタンあるいはスイッチを操作する必要がある。
【０００３】
たとえば、特開２００５−３２８２３４号公報には、複数の機能を備えた携帯端末装置において、アンテナ軸の少なくとも一部に突起部を設けたアンテナ部と、該アンテナ部を回転可能に収納するアンテナ収納部と、前記突起部の位置情報から前記アンテナ部の前記アンテナ収納部に対する回転方向を検出する回転検出手段とを備え、該検出した回転方向に予め関連付けられた機能を実行できるようにしたことを特徴とする携帯端末装置が記載されている。
【０００４】
しかしながら、従来の携帯端末装置は、複数の放送信号のうちから１つを選択するために、アンテナを回転させる特別な操作をしなければ所望の放送信号を選択することができないといった問題がある。
【特許文献１】特開２００５−３２８２３４号公報
【発明の開示】
【発明が解決しようとする課題】
【０００５】
この発明は上述した問題点を解決するためになされたもので、この発明の目的の１つは、複数の放送信号のうちから１つを選択する操作を容易にした携帯通信装置を提供することである。
【０００６】
この発明の他の目的は、複数の放送信号のうちから１つを選択する操作を容易にした放送信号切換方法を提供することである。
【０００７】
この発明のさらに他の目的は、複数の放送信号のうちから１つを選択する操作を容易にした放送信号切換プログラムを提供することである。
【課題を解決するための手段】
【０００８】
上述した目的を達成するために、この発明のある局面によれば、携帯通信装置は、第１筐体と、第１筐体と相対的に移動可能に連結された第２筐体と、第１筐体が第２筐体に相対する相対位置と複数の放送信号とをそれぞれ対応付ける対応付手段と、第１筐体の第２筐体に相対する相対位置を検出する位置検出手段と、所定の操作を検出する操作検出手段と、操作検出手段により所定の操作が検出されたときに複数の放送信号のうちから位置検出手段により検出された相対位置に対応付けられた放送信号を選択する選択手段と、を備える。
【０００９】
この局面に従えば、第１筐体と第２筐体との相対位置が検出され、複数の放送信号のうちから所定の操作が検出されたときにおける第１筐体と第２筐体との相対位置に対応付けられた放送信号が選択される。このため、第１筐体を第２筐体に相対的に移動させる操作によって、複数の放送信号のうちから１つを選択することができる。その結果、複数の放送信号のうちから１つを選択する操作を容易にした携帯通信装置を提供することができる。
【００１０】
好ましくは、位置検出手段は、第１筐体が第２筐体に相対して移動可能な第１の相対位置と第２の相対位置との間における第１筐体が第２筐体に相対する相対位置を検出する。
【００１１】
この局面に従えば、放送信号の映像を表示するのに適した位置に第１筐体を移動させる操作に放送信号を選択する操作を含ませることができる。このため、放送信号を選択する操作を簡略にすることができる。
【００１２】
好ましくは、選択手段は、第１筐体が第１の相対位置から第２の相対位置に移動する間に操作検出手段により複数の所定の操作が検出された場合、操作検出手段により複数の所定の操作が検出されたときに位置検出手段によりそれぞれ検出された複数の相対位置にそれぞれ対応付けられた複数の放送信号を候補信号として選択する候補選択手段と、複数の候補信号が選択された後、第１筐体が第２の筐体に対して第２の相対位置から第１の相対位置の方向に移動した後、複数の候補信号のうちから位置検出手段により所定のタイミングで検出された相対位置に対応付けられた候補信号を選択する放送信号に決定する決定手段とを含む。
【００１３】
この局面に従えば、候補となる放送信号が複数の場合、複数の候補となる放送信号のうちから１つを選択する操作を容易にすることができる。
【００１４】
好ましくは、第１筐体に設けられ、受信された放送信号の映像を表示する表示手段をさらに備え、表示手段は、第２の相対位置において映像を表示する場合に、第１の相対位置において映像を表示するサイズ以上のサイズで映像を表示する。
【００１５】
この局面に従えば、ユーザは、第１の相対位置において映像を表示するサイズ以上のサイズで映像が表示される第２の相対位置に第１筐体を移動させる間に放送信号を選択することができる。このため、操作を簡略化することができる。
【００１６】
好ましくは、第２筐体に設けられ、受信された放送信号の映像を表示可能な別の表示手段をさらに備え、別の表示手段は、第１筐体が第１の相対位置から第２の相対位置の間に位置するとき、受信された放送信号の映像を表示する。
【００１７】
この局面に従えば、第１筐体が第１の相対位置から第２の相対位置の間に位置するとき、第２筐体に設けられた別の表示手段に放送信号の映像が表示されるので、ユーザに対して第１筐体を移動させながらユーザに対して移動しない第２筐体に放送信号の映像を表示することができる。このため、放送信号を選択する操作をする際に、表示される映像を見やすく表示することができる。
【００１８】
好ましくは、操作検出手段は、位置検出手段により検出される相対位置が予め定められた範囲内となる時間を計時する計時手段を含み、計時手段により所定時間が計時されると所定の操作を検出する。
【００１９】
この局面に従えば、第１筐体を第２筐体に相対して移動させる操作を所定時間停止させるだけで、放送信号が選択される。このため、ユーザは、第１筐体を第２筐体に移動させる間に、放送信号を選択することができる。また、第１筐体を第２筐体に相対して移動させる操作を所定時間停止している間、同じ放送信号が選択されるので、ユーザは映像を見ながら放送信号を選択することができる。
【００２０】
好ましくは、操作検出手段は、予め定められたボタンを指示する操作を検出する。
【００２１】
この発明の他の局面によれば、放送信号切換方法は、携帯通信装置で実行される放送信号切換方法であって、携帯通信装置は、第１筐体と、第１筐体と相対的に移動可能に連結された第２筐体と、を備え、第１筐体が第２筐体に相対する相対位置と複数の放送信号とをそれぞれ対応付けるステップと、第１筐体の第２筐体に相対する相対位置を検出するステップと、複数の放送信号のうちから検出された相対位置に対応付けられた放送信号を選択するステップと、を含む。
【００２２】
この局面に従えば、複数の放送信号のうちから１つを選択する操作を容易にした放送信号切換方法を提供することができる。
【００２３】
この発明のさらに他の局面によれば、放送信号切換プログラムは、携帯通信装置で実行される放送信号切換プログラムであって、携帯通信装置は、第１筐体と、第１筐体と相対的に移動可能に連結された第２筐体と、を備え、第１筐体が第２筐体に相対する相対位置と、複数の放送信号とをそれぞれ対応付けるステップと、第１筐体の第２筐体に相対する相対位置を検出するステップと、複数の放送信号のうちから検出された相対位置に対応付けられた放送信号を選択するステップと、を携帯通信装置を制御するためのコンピュータに実行させる。
【００２４】
この局面に従えば、複数の放送信号のうちから１つを選択する操作を容易にした放送信号切換プログラムを提供することができる。
【発明を実施するための最良の形態】
【００２５】
以下、本発明の実施の形態について図面を参照して説明する。以下の説明では同一の部品には同一の符号を付してある。それらの名称および機能も同じである。したがってそれらについての詳細な説明は繰返さない。
【００２６】
図１は、本発明の実施の形態の１つにおける携帯電話機の第１の斜視図である。図１は、オープンスタイルにおける携帯電話機１を示している。図２は、携帯電話機の第２の斜視図である。図２は、中間スタイルにおける携帯電話機１を示している。図３は、携帯電話機の第３の斜視図である。図３は、視聴スタイルにおける携帯電話機１を示している。  図１〜図３を参照して、携帯電話機１は、第１筐体２と、第２筐体３と、ヒンジ部４と、支持板７０とを含む。第２筐体３の上端部にヒンジ部４と支持板７０とを介して第１筐体２の下端部が連結されている。第１筐体２と第２筐体３とはヒンジ部４の動作により、ヒンジ部４が有する回転軸（第１の回転軸）を中心に回転可能に連結され、互いに開閉可能となる。ヒンジ部４の動作により、携帯電話機１を折りたたんで、第１筐体２と第２筐体３とが閉状態にあるときの携帯電話機１の状態がクローズスタイルであり、携帯電話機１を開いて、第１筐体２と第２筐体３が開状態にあるときの携帯電話機１の状態がオープンスタイルである。
【００２７】
ヒンジ部４の一方の回動端には第２筐体３が連結され、他方の回動端には第１筐体２の表面と平行な表面及び背面を具えた支持板７０が突設されている。支持板７０の表面と背面とには、同軸上に一対の突起部７が弾性支持されて支持板の表面及び背面から出没可能に取り付けられている。
【００２８】
第１筐体２は指示板７０を収納するための溝を有し、その溝の両側面には、支持板７０の表面と背面とに同軸上に設けられた一対の突起部７と結合される枢支部５およびスライド部６がそれぞれ設けられている。第１筐体２は、指示板７０の突起部７と、枢支部５またはスライド部６を介して結合される。枢支部５は、突起部７と結合する場合、突起部７を回転可能に支持する。このため、枢支部５が突起部７と結合した状態では、第１筐体２は第２筐体３に対して枢支部５を中心軸として回転可能である。このように、第１筐体２と第２筐体３とは、枢支部５と突起部７とが結合することにより、枢支部５と突起部７とで構成される回転軸（第２の回転軸）を中心に回転可能に連結される。枢支部５と突起部７とで構成される回転軸（第２の回転軸）は、ヒンジ部４が有する回転軸（第１の回転軸）と交わる。ここでは、枢支部５と突起部７とで構成される回転軸（第２の回転軸）は、ヒンジ部４が有する回転軸（第１の回転軸）と垂直に交わる。
【００２９】
携帯電話機１は、オープンスタイルと中間スタイルとにおいて、枢支部５が突起部７と結合し、第１筐体２が第２筐体３に対して回転可能である。したがって、携帯電話機１は、オープンスタイルから中間スタイルに形態を変化させる場合、または、中間スタイルからオープンスタイルに形態を変化させる場合、第１筐体２が第２筐体３に対して枢支部５と突起部７とで構成される回転軸を中心に回転する。
【００３０】
図１に示すオープンスタイルの携帯電話機１の第１筐体２を図中の矢印の方向に側方から押圧すると、第１筐体２が第２筐体３に対して回転し、図２に示す中間スタイルになる。ここでは、オープンスタイルにおける携帯電話機１の第１筐体２と第２筐体３との相対的な位置を第１相対位置といい、中間スタイルにおける携帯電話機１の第１筐体２と第２筐体３との相対的な位置を第２相対位置という。
【００３１】
図２に示す中間スタイルの携帯電話機１において第１筐体２を図中の矢印の方向に側方から押圧すると、突起部７は枢支部５との連結が外れ、スライド部６と結合する。突起部７はスライド部６と結合する場合、スライド部６に摺動可能に支持される。携帯電話機１は、中間スタイルと視聴スタイルとにおいて、スライド部６が突起部７を摺動可能に支持する。したがって、携帯電話機１は、中間スタイルから視聴スタイルに、または視聴スタイルから中間スタイルに形態を変化させることができる。
【００３２】
第１筐体２の内側面には、第１スピーカ１１と、液晶表示装置（ＬＣＤ）１６とが配置される。第２筐体３の内側面には、マイクロフォン１３と、テンキーおよび通話キー等の操作キー１５とが配置される。
【００３３】
放送信号の映像をＬＣＤ１６に表示したとき、放送信号の映像の形状は横長の長方形の輪郭を有するので、オープンスタイルのときのＬＣＤ１６には、放送信号の映像がその上下が横向きに表示されてしまうが、携帯電話機１が視聴スタイルのときは、放送信号の映像をＬＣＤ１６に適正な方向で無駄なく表示することができる。従って、図３に示す視聴スタイルの携帯電話機１は、放送信号の映像を視聴するのに適した形態である。
【００３４】
図４は、第１携帯電話機のハードウェア構成の一例を示すブロック図である。図４を参照して、第１携帯電話機１は、第１携帯電話機１の全体を制御するためのＣＰＵ２１と、アンテナ２２Ａと接続された無線回路２２と、音声データを処理するためのコーデック部２８と、それぞれがコーデック部２８に接続されたマイクロフォン１３および第１スピーカ１１と、アンテナ２３Ａに接続されたチューナ２３と、ユーザの操作の入力を受付ける操作部２５と、ＡＶデコーダ２９と、第２スピーカ１２と、第１ＬＣＤ１６の表示を制御するための表示制御部３０と、ＣＰＵ２１の作業領域として使用されるＲＡＭ（Ｒａｎｄｏｍ  Ａｃｃｅｓｓ  Ｍｅｍｏｒｙ）３１と、ＣＰＵ２１で実行するためのプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３２と、カードインターフェース（Ｉ／Ｆ）２７と、を含む。
【００３５】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロフォン１３からアナログの音声信号が入力され、音声信号をデジタルに変換し、符号化し、そして符号化した音声信号を無線回路２２に出力する。
【００３６】
チューナ２３は、アンテナ２３Ａに接続されており、アンテナ２３Ａにより受信された複数の放送信号が入力される。チューナ２３は、アンテナ２３Ａから入力される複数の放送信号からＣＰＵ２１の指示に応じて特定の周波数の放送信号を取り出す。放送信号は、デジタル放送信号を含み、映像データおよび音声データを含む高周波デジタル変調信号である。また、チューナ２３は、逆インターリーブ回路、誤り訂正回路を備えており、取り出した特定の周波数の放送信号（高周波デジタル変調信号）を復調し、復調して得られる符号データをＡＶデコーダ２９に出力する。なお、ここでは、地上デジタル放送の放送信号を受信して再生する例を示すが、アナログテレビジョン放送の放送信号を受信して再生するようにしてもよい。また、テレビジョン放送に代えて、または、テレビジョン放送に加えて、ラジオ放送の放送電波を受信して再生するようにしてもよい。
【００３７】
ＡＶデコーダ２９は、ビデオデコーダおよびオーディオデコーダを備えており、チューナ２３から入力された符号データを復号して映像信号および音声信号を生成し、映像信号をＤ／Ａ（デジタル／アナログ）変換して表示制御部３０に出力し、音声信号をＤ／Ａ変換して第２スピーカ１２に与える。
【００３８】
表示制御部３０は、ＣＰＵ２１により制御され、ＣＰＵ２１から入力される指示に従ってＬＣＤ１６を制御して、ＬＣＤ１６に画像を表示させる。
【００３９】
操作部２５は、操作キー１５を含む。操作キー１５は、ユーザによる操作の入力を受け付け、受け付けた操作をＣＰＵ２１に出力する。操作部２５は、透明な部材からなり、ＬＣＤ１６に重畳して設けられたタッチパネル１８を含む。タッチパネル１８は、ＣＰＵ２１により制御されて、ユーザが指等によりタッチパネル１８に触れると、指等が触れた位置を検出する。タッチパネル１８は、検出した位置をＣＰＵ２１に出力する。
【００４０】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。
【００４１】
なお、ここではＣＰＵ２１で実行するためのＥＥＰＲＯＭ３２に記憶しておく例を説明するが、プログラムをメモリカード２７Ａに記憶しておき、メモリカード２７Ａからプログラムを読み出して、ＣＰＵ２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、第１携帯電話機１をインターネットに無線回路２２を介して接続し、インターネットに接続されたコンピュータからプログラムをダウンロードして、ＣＰＵ２１で実行するようにしてもよい。ここでいうプログラムは、ＣＰＵ２１により直接実行可能なプログラムだけでなく、ソースプログラム、圧縮処理されたプログラム、暗号化されたプログラム等を含む。
【００４２】
図５は、携帯電話機が備えるＣＰＵが有する機能の一例を示す機能ブロック図である。図５を参照して、ＣＰＵ２１は、相対位置を検出する位置検出部４１と、放送信号を選択する選択部４２と、操作を検出する操作検出部４３とを含む。
【００４３】
位置検出部４１は、第１筐体２の第２筐体３に相対する相対位置を検出する。第１筐体２と第２筐体３との相対位置が、第１相対位置と第２相対位置との間にある相対位置を検出する。第１相対位置と第２相対位置との間において、第１筐体２は、第２筐体３に対して枢支部５を中心軸として回転するので、第１筐体と第２筐体３とがなす角度を相対位置として検出する。ここでは、第１筐体が第２筐体３とが第１相対位置にあるときの第１筐体２と第２筐体３とのなす角度を基準「０度」とし、第１筐体２が第２筐体３に対して第１相対位置から回転する角度を相対位置として検出する。ここでは、第１筐体と第２筐体３とが第２相対位置のときの角度は「９０度」である。位置検出部４１は、検出した角度を、操作検出部４３と、選択部４２とに出力する。
【００４４】
操作検出部４３は、ユーザの操作を検出し、所定の操作を検出すると、所定の操作が検出されたことを示す検出信号を選択部４２に出力する。所定の操作は、ユーザが操作キー１５のうち予め定められた決定キーまたはタッチパネル１９を指示する操作と、第１筐体２を第２筐体３に対して回転させている途中で所定時間回転を停止させる操作と、を含む。
【００４５】
操作検出部４３は、予め定められた決定キーまたはタッチパネル１９がユーザにより指示されたことを検出すると、検出信号を選択部４２に出力する。また、操作検出部４３は、時間を計時する計時部４６を含む。計時部４６は、位置検出部４１から入力される角度が変化するとリセットされ、位置検出部４１から入力される角度が変化しない時間を計時する。操作検出部４３は、計時部４６により計時される時間が所定時間以上になると検出信号を選択部４２に出力する。換言すれば、ユーザが第１筐体２を第２筐体３に対して回転させている途中で所定時間回転を停止させる操作をすると、計時部４６により計時される時間が所定時間となるので、操作検出部４３は所定の操作を検出し、検出信号を選択部４２に出力する。なお、後述する対応付テーブル３２Ａにより放送信号と対応付けられる角度Ｒには幅があるので、計時部４６が対応付テーブル３２Ａを参照するようにして、位置検出部４１から入力される角度が、対応付テーブル３２Ａにより１つの放送信号と対応付けられた角度の範囲に含まれる時間を計時するようにしてもよい。
【００４６】
選択部４２は、位置検出部４１から入力される角度に基づいて、複数の放送信号のうちから受信する放送信号を選択する。具体的には、選択部４２は、ＥＥＰＲＯＭ３２に記憶されている対応付テーブル３２Ａを参照し、位置検出部４１から入力される角度に関連付けられている放送信号の識別情報を、複数の識別情報のうちから抽出し、抽出した識別情報で特定される放送信号を受信する指示を、チューナ２３に出力する。これにより、チューナ２３は、指示された放送信号を受信し、符号データをＡＶデコーダ２９に出力する。さらに、ＡＶデコーダ２９は、映像信号を表示制御部３０に出力し、音声信号を第２スピーカ１２に与えるので、選択部４２により選択された放送信号の映像がＬＣＤ１６に表示され、第２スピーカ１２から音声が出力される。
【００４７】
図６は、対応付テーブルの一例を示す図である。対応付テーブル３２Ａは、受信可能な複数の放送信号の識別情報それぞれと角度とを関連付ける複数の対応レコードを含む。ここでは、アンテナ２３Ａにより６つの放送信号が受信される場合における対応付テーブル３２Ａを示しており、対応付テーブル３２Ａは、６つの対応レコードを含む。第１放送信号の識別情報「第１チャンネル」に対して、角度Ｒが０≦Ｒ≦１５が対応付けられ、第２放送信号の識別情報「第２チャンネル」に対して、角度Ｒが１５＜Ｒ≦３０が対応付けられ、第３放送信号の識別情報「第３チャンネル」に対して、角度Ｒが３０＜Ｒ≦４５が対応付けられ、第４放送信号の識別情報「第４チャンネル」に対して、角度Ｒが４５＜Ｒ≦６０が対応付けられ、第５放送信号の識別情報「第５チャンネル」に対して、角度Ｒが６０＜Ｒ≦７５が対応付けられ、第６放送信号の識別情報「第６チャンネル」に対して、角度Ｒが７５＜Ｒ＜９０が対応付けられる。
【００４８】
この対応付テーブル３２Ａは、予めＥＥＰＲＯＭ３２に記憶されてもよいし、チューナ２３が放送信号をスキャンした時点で、生成するようにしてもよいし、ユーザが登録するようにしてもよい。
【００４９】
図５に戻って、選択部４２は、第１筐体２が第２筐体３に対して第１相対位置（角度０度）から第２相対位置（角度９０度）になるまで移動すると、位置検出部４１から角度０度〜９０度が順に入力されるので、第１〜第６チャンネルの識別情報を順に選択する。このため、ユーザが第１筐体２を第２筐体３に対して第１相対位置（角度０度）から第２相対位置（角度９０度）になるまで回転させる操作をするだけで、受信可能なすべての放送信号の映像および音声を視聴することができる。また、第１筐体２が第２筐体３に対して第２相対位置にあるときは、携帯電話機１は、テレビジョン放送の視聴に適した形態なので、ユーザが携帯電話機を視聴に適した形態に形態を変動させる操作をする間に、受信可能なすべての放送信号の映像および音声を視聴することができる。
【００５０】
選択部４２は、複数の放送信号のうちから少なくとも１つを候補信号として選択する候補選択部４４と、選択された候補信号のうちから受信する放送信号を決定する決定部４５とを含む。候補選択部４４は、位置検出部４１から角度が入力され、操作受付部４３から検出信号が入力される。候補選択部４４は、位置検出部４１から入力される角度Ｒが、０＜Ｒ＜９０の場合、操作受付部４３から検出信号が入力されるときに位置検出部４１から入力される角度と、ＥＥＰＲＯＭ３２に記憶された対応付テーブル３２Ａにより関連付けられている放送信号の識別情報を複数の放送信号の識別情報のうちから抽出し、抽出した放送信号の識別情報を候補識別情報としてＲＡＭ３１に一時記憶する。候補選択部４４は、位置検出部４１から入力される角度が、９０度になるまでに複数の検出信号が入力されると、複数の候補識別情報をＲＡＭ３１に一時記憶する。なお、候補選択部４４は、候補識別情報を重複して一時記憶しない。
【００５１】
さらに、選択部４２は、位置検出部４１から第２相対位置を示す角度９０度が入力されると、最後に一時記憶した候補識別情報を読み出し、読み出された識別情報で特定される放送信号を受信する指示を、チューナ２３に出力する。これにより、ユーザが最後に選択した放送信号の映像がＬＣＤ１６に表示され、第２スピーカ１２から音声が出力される。候補識別情報が１つの場合、ユーザはそのまま視聴することができる。
【００５２】
また、選択部４２は、位置検出部４１から第２相対位置を示す角度９０度が入力されると、一時記憶された候補識別情報に基づいて候補テーブルを生成し、ＲＡＭ３１に一時記憶する。候補テーブルは、ＲＡＭ３１に一時記憶された候補識別情報ごとに、第１筐体２と第２筐体３との相対位置を関連付ける。
【００５３】
図７は、候補テーブルの一例を示す図である。候補テーブル３１Ａは、一時記憶された候補識別情報ごとに、第１筐体２と第２筐体３との相対位置を関連付ける候補対応レコードを含む。ここでは、候補選択部４４によって、放送信号の識別情報「第１チャンネル」、「第３チャンネル」および「第５チャンネル」が抽出された場合に生成される候補テーブルを示している。候補テーブル３１Ａは、放送信号の識別情報「第１チャンネル」に対して角度Ｒが０＜Ｒ≦３０を対応付ける候補対応レコードと、「第３チャンネル」に対して角度Ｒが３０＜Ｒ≦６０を対応付ける候補対応レコードと、「第５チャンネル」に対してに対して角度Ｒが６０＜Ｒ≦９０を対応付ける候補対応レコードと、を含む。
【００５４】
図５に戻って、決定部４５は、位置検出部４１から角度が入力され、操作受付部４３から検出信号が入力される。まず、決定部４５は、候補選択部４４により候補テーブル３１Ａが生成された後、位置検出部４１から入力される角度Ｒが、０＜Ｒ＜９０になると、ＲＡＭ３１に記憶されている候補テーブル３１Ａを参照し、位置検出部４１から入力される角度に関連付けられている候補識別情報を抽出し、抽出した候補識別情報で特定される放送信号を受信する指示を、チューナ２３に出力する。これにより、チューナ２３は、指示された放送信号を受信し、符号データをＡＶデコーダ２９に出力する。さらに、ＡＶデコーダ２９は、映像信号を表示制御部３０に出力し、音声信号を第２スピーカ１２に与えるので、決定部４５により選択された放送信号の映像がＬＣＤ１６に表示され、第２スピーカ１２から音声が出力される。
【００５５】
次に決定部４５は、操作受付部４３から検出信号が入力されるときに、位置検出部４１から入力される角度とＲＡＭ３１に一時記憶された候補テーブル３１Ａにより関連付けられている放送信号の候補識別情報を受信用の放送信号の識別情報として決定する。
【００５６】
候補選択部４４により候補テーブル３１Ａが生成されるのは、位置検出部４１から第２相対位置を示す角度９０度が入力されるときである。候補テーブル３１Ａが生成された後、位置検出部４１から入力される角度Ｒが、０＜Ｒ＜９０になるのは、ユーザが第１筐体２を第２筐体３に対して、第２相対位置から第１相対位置の方向に移動させる操作をする場合である。したがって、第１筐体２を第２筐体３に対して回転させる簡単な操作で、複数の候補として選択された複数の放送信号のうちから１つを受信する放送信号に選択することができる。
【００５７】
また、決定部４５は、操作受付部４３から検出信号が入力される前に、第１筐体２を第２筐体３に対して回転させる方向が変化することを検出すると、回転方向が変化したときに位置検出部４１から入力される角度とＲＡＭ３１に一時記憶された候補テーブル３１Ａにより関連付けられている放送信号の候補識別情報を受信用の放送信号の識別情報として決定する。したがって、第１筐体２を第２筐体３に対して第２相対位置から第１相対位置の方向に回転させた後、再度第２相対位置に戻す簡単な操作で、複数の候補として選択された複数の放送信号のうちから１つを受信する放送信号に選択することができる。
【００５８】
図８および図９は、放送信号切換処理の流れの一例を示すフローチャートである。放送信号切換処理は、テレビジョン放送を受信するためのアプリケーションプログラムが起動されることにより、ＣＰＵ２１により実行される処理である。図８を参照して、ＣＰＵ２１は、ＥＥＰＲＯＭ３２に記憶されている対応付テーブル３２Ａを読み出す。そして、第１筐体２の第２筐体３に対する第１相対位置を検出したか否かを判断する（ステップＳ０２）。第１相対位置が検出されるまで待機し（ステップＳ０２でＮＯ）、第１相対位置が検出されると（ステップＳ０２でＹＥＳ）、処理をステップＳ０３に進める。
【００５９】
ステップＳ０３においては、検出された第１相対位置とＥＥＰＲＯＭ３２に記憶されている対応付テーブル３２Ａにより関連付けられている識別情報の放送信号をチューナ２３に受信させる。
【００６０】
次のステップＳ０４においては、第１筐体２が第２筐体３に対して移動したか否かを判断する。換言すれば、ユーザが携帯電話機１をオープンスタイルから視聴スタイルに形態を変化させるために、第１筐体２を第２筐体３に対して回転させる操作をしたか否かを判断する。第１筐体２の第２筐体３に対する移動を検出すると、処理をステップＳ０５に進め、検出しなければ処理をステップＳ０７に進める。
【００６１】
ステップＳ０５においては、第１筐体２の第２筐体３に対する相対位置を検出する。そして、検出された相対位置とＥＥＰＲＯＭ３２に記憶されている対応付テーブル３２Ａにより関連付けられている識別情報の放送信号をチューナ２３に受信させる（ステップＳ０６）。第１筐体２の第２筐体３に対する相対位置と対応付テーブル３２Ａにより関連付けられている識別情報の放送信号の映像がＬＣＤ１６に表示されるので、ユーザが第１筐体２を第２筐体３に対して第１相対位置（角度０度）から第２相対位置（角度９０度）になるまで回転させる操作をするだけで、受信可能なすべての放送信号の映像がＬＣＤ１６に順に表示される。
【００６２】
ステップＳ０７においては、決定キーまたはタッチパネル１８が指示されたか否かを判断する。決定キーまたはタッチパネル１８が指示されたならば、処理をステップＳ０９に進め、そうでなければ処理をステップＳ０８に進める。ステップＳ０８においては、同一放送信号の受信が所定時間経過したか否かを判断する。具体的には、第１筐体２と第２筐体３との相対位置が、同一の放送信号の識別情報に対応付テーブル３２Ａにより関連付けられた相対位置となる時間が所定時間を越えたか否かを判断する。所定時間を経過したならば処理をステップＳ０９に進め、そうでなければ処理をステップＳ１０に進める。
【００６３】
ステップＳ０９においては、受信中の放送信号を候補に選択する。具体的には、ステップＳ０３またはステップＳ６においてチューナ２３に受信させた放送信号の識別情報を候補識別情報としてＲＡＭ３１に一時記憶する。このため、ユーザは、第１筐体２を第２筐体３に対して相対的に回転させながら、決定キーまたはタッチパネル１８を指示する操作、または、回転を所定時間停止させる操作をすることによって、所望の放送信号を候補として選択することができる。
【００６４】
ステップＳ１０においては、第１筐体２の第２筐体３に対する第２相対位置を検出したか否かを判断する。第２相対位置が検出された場合は、処理をステップＳ１１に進め、そうでなければ処理をステップＳ０４に戻す。換言すれば、携帯電話機１の形態が視聴スタイルになると、処理をステップＳ１１に進める。
【００６５】
ステップＳ１１においては、ステップＳ０９において候補に選択された放送信号が複数か否かを判断する。具体的には、ステップＳ０９においてＲＡＭ３１に一時記憶された候補識別情報の数で判断する。ＲＡＭ３１に記憶されている候補識別情報が複数ならば、処理をステップＳ１２に進め、そうでなければ処理をステップＳ２１に進める。
【００６６】
ステップＳ１２においては、候補の放送信号と相対位置とを関連付ける。具体的には、ステップＳ０９においてＲＡＭ３１に一時記憶された候補識別情報が複数なので、第１筐体２と第２筐体３との相対位置として取り得る範囲０度〜９０度を、複数の候補識別情報で等分し、それぞれを複数の候補識別情報に割り当てる。そして、候補テーブルを生成し、ＲＡＭ３１に一時記憶する。第１、第３および第５チャンネルが候補識別情報として選択された場合、図７に示した候補テーブル３１ＡがＲＡＭ３１に記憶される。
【００６７】
ステップＳ１３においては、第１筐体２と第２筐体３との相対位置が変化したか否かを判断する。第１筐体２と第２筐体３との相対位置が変化したならば処理をステップＳ１４に進め、相対位置が変化しなければ処理をステップＳ１６に進める。処理がステップＳ１３に進む場合、第１筐体２と第２筐体３とは第２相対位置にある。ユーザが第１筐体２を第２筐体３に対して第１相対位置の方に向かって回転させる操作をすると、相対位置が変化する。
【００６８】
ステップＳ１４においては第１筐体２と第２筐体３との相対位置を検出する。そして、検出された相対位置とＲＡＭ３１に記憶されている候補テーブル３１Ａにより関連付けられている候補識別情報の放送信号をチューナ２３に受信させる（ステップＳ１５）。第１筐体２の第２筐体３に対する相対位置と候補テーブル３１Ａにより関連付けられている候補識別情報の放送信号の映像がＬＣＤ１６に表示されるので、ユーザが第１筐体２を第２筐体３に対して第２相対位置（角度９０度）から第１相対位置（角度０度）になるまで回転させる操作をするだけで、ユーザが候補に選択したすべての放送信号の映像がＬＣＤ１６に順に表示される。
【００６９】
ステップＳ１６においては、第１筐体２が第２筐体３に対して移動する方向が反転したか否かを判断する。具体的には、ステップＳ１４で検出される相対位置、ここでは角度が９０度から減少していたものが、増加したか否かを判断する。ステップＳ１４で検出された相対位置が、先にステップＳ１４が実行されたときに検出された相対位置よりも大きければ、回転方向が反転したと判断する。移動方向が反転したならば、処理をステップＳ１９に進め、そうでなければ処理をステップＳ１７に進める。
【００７０】
ステップＳ１７においては、決定キーまたはタッチパネル１８が指示されたか否かを判断する。決定キーまたはタッチパネル１８が指示されたならば、処理をステップＳ１９に進め、そうでなければ処理をステップＳ１８に進める。ステップＳ１８においては、同一放送信号の受信が所定時間経過したか否かを判断する。具体的には、第１筐体２と第２筐体３との相対位置が、同一の放送信号の識別情報に候補テーブル３１Ａにより関連付けられた相対位置となる時間が所定時間を越えたか否かを判断する。所定時間を経過したならば処理をステップＳ１９に進め、そうでなければ処理をステップＳ１３に戻す。
【００７１】
ステップＳ１９においては、受信中の放送信号を視聴のために受信するための放送信号に決定し、処理をステップＳ２０に進める。
【００７２】
一方、ステップＳ２１においては、候補の放送信号を受信する放送信号に決定する。ステップＳ０９において記憶された候補識別情報が１つなので、その候補識別情報の放送信号を受信のための放送信号に決定する。
【００７３】
ステップＳ２０においては、ステップＳ１９またはステップＳ２１において、受信のための放送信号として決定された放送信号をチューナ２３に受信させ、処理を終了する。これにより、ユーザが所望の放送信号の映像がＬＣＤ１６に表示される。このため、ユーザは、第１筐体２を第２筐体３に対して回転させた後、回転させる方向を逆にする操作、決定キーまたはタッチパネル１８を指示する操作、または、回転を所定時間停止させる操作をすることによって、視聴するための放送信号を選択することができる。
【００７４】
＜変形例＞
次に携帯電話機１の変形例について説明する。変形例における携帯電話機１Ａは、上述した携帯電話機１の第２筐体３に備えられていた操作キー１５に代えて、別のＬＣＤ１７およびタッチパネル１７Ａを設けたものである。タッチパネル１７Ａは、透明な部材からなり、別のＬＣＤ１７に重畳して設けられる。その他の構成は上述した携帯電話機１と同じなので、ここでは主に異なる点を説明する。
【００７５】
図１０は、変形例における携帯電話機の斜視図である。図１０は、オープンスタイルにおける携帯電話機１Ａを示している。図１０を参照して、携帯電話機１Ａが備える第２筐体３の内側面には、別のＬＣＤ１７とタッチパネル１７Ａが配置される。別のＬＣＤ１７に操作キー等を表示し、タッチパネル１７Ａでその操作キーの位置が押下されたことを検出するので、種々の操作を入力することができる。
【００７６】
なお、ここでは携帯電話機１Ａが別のＬＣＤ１７を備える例を示すが、別のＬＣＤ１７に代えて、有機ＥＬディスプレイを用いてもよい。
【００７７】
変形例における携帯電話機１Ａにおいて、オープンスタイルから中間スタイルに形態を変化させる途中においては、第２筐体３に対して第１筐体２が回転するので、第１筐体２に設けられたＬＣＤ１６の表示面を見る角度が変化する。ＬＣＤ１６に表示された放送信号の映像を見る角度が変化するので、映像を見づらくなってしまう。変形例における携帯電話機１Ａは、オープンスタイルから中間スタイルに形態を変化させる途中においては、別のＬＣＤ１７に放送信号の映像を表示するようにしたものである。オープンスタイルから中間スタイルに形態を変化させる途中において、第１筐体２を見る角度が変わるように第２筐体３に相対して回転させる操作すれば、第２筐体３の角度は変化しない。このため、第２筐体３に設けられた別のＬＣＤ１７に放送信号の映像を表示すれば、ユーザが映像を見る角度が変化しないようにすることができる。したがって、放送信号を選択する操作をする際に、表示される映像を見やすく表示することができる。
【００７８】
図１１および図１２は、変形例における放送信号切換処理の流れの一例を示すフローチャートである。図１１および図１２を参照して、図８および図９に示した放送信号切換処理と異なる点は、ステップＳ０２Ａ、ステップＳ０４Ａ、ステップＳ１０Ａ、ステップＳ１３Ａ、ステップＳ２０ＡおよびステップＳ２０Ｂが追加された点である。その他の処理は図８に示した処理と同じなのでここでは説明を繰り返さない。
【００７９】
ステップＳ０２において、第１筐体２の第２筐体３に対する第１相対位置が検出されると、ステップＳ０２において、放送信号の映像の表示を第１筐体２側に切り換える。次のステップＳ０３において、検出された第１相対位置とＥＥＰＲＯＭ３２に記憶されている対応付テーブル３２Ａにより関連付けられている識別情報の放送信号がチューナ２３により受信されると、チューナ２３により受信される放送信号の映像は、第１筐体２が備えるＬＣＤ１６に表示される。
【００８０】
ステップＳ０４において、第１筐体２が第２筐体３に対して移動したことが検出されると、ステップＳ０４Ａにおいて放送信号の映像の表示を第２筐体３側に切り換える。これにより、それまで第１筐体２のＬＣＤ１６に表示されていた映像が、第２筐体３が備える別のＬＣＤ１７に表示される。第１筐体２を第２筐体３に対して相対的に移動させると、第１筐体２に設けられたＬＣＤ１６の表示面を見る角度が変化するが、第２筐体３の角度は変化しないので、第２筐体３に設けられた別のＬＣＤ１７に表示される放送信号の映像は見る角度が変化しない。このため、チャンネルを選択する操作をする際に、表示される映像を見やすくなる。第１筐体２と第２筐体３との相対位置が第２相対位置になるまで（ステップＳ１０でＹＥＳ）、放送信号の映像が第２筐体３が備える別のＬＣＤ１７に表示される。
【００８１】
ステップＳ１０において。第１筐体２の第２筐体３に対する第２相対位置が検出されると、ステップＳ１０Ａにおいて、放送信号の映像の表示を第１筐体２側に切り換える。このため、最後に候補に選択された放送信号の映像が、第１筐体２が備えるＬＣＤ１６に表示される。第１筐体２が備えるＬＣＤ１６は、第２相対位置において、第２筐体３が備える別のＬＣＤ１７に表示される映像よりも大きな映像を表示することができるので、映像を見やすく表示することができる。
【００８２】
ステップＳ１３において、第１筐体２が第２筐体３に対して移動したことが検出されると、ステップＳ１３Ａにおいて、放送信号の映像の表示を第２筐体３側に切り換える。これにより、それまで第１筐体２のＬＣＤ１６に表示されていた映像が、第２筐体３が備える別のＬＣＤ１７に表示される。第１筐体２を第２筐体３に対して相対的に移動させると、第１筐体２に設けられたＬＣＤ１６の表示面を見る角度が変化するが、第２筐体３の角度は変化しないので、第２筐体３に設けられた別のＬＣＤ１７に表示される放送信号の映像を見る角度が変化しない。このため、候補として選択された複数の放送信号のうちから受信のための放送信号を選択する操作をする際に、表示される映像を見やすくなる。
【００８３】
ステップＳ１９において、第１筐体２と第２筐体３との相対位置が第２相対位置になるまで（ステップＳ１０でＹＥＳ）、放送信号の映像が第２筐体３が備える別のＬＣＤ１７に表示される。
【００８４】
ステップＳ２０において、ステップＳ１９またはステップＳ２１において、受信のための放送信号として決定された後、ステップＳ２０Ａにおいて、第１筐体２の第２筐体３に対する第２相対位置を検出したか否かを判断する。第２相対位置を検出するまで待機状態となり（ステップＳ２０ＡでＮＯ）、第２相対位置を検出すると（ステップＳ２０ＡでＹＥＳ）、処理をステップＳ２０Ｂに進める。ステップＳ２０Ｂにおいては、放送信号の映像の表示を第１筐体２側に切り換える。ステップＳ２０において、ステップＳ１９またはステップＳ２１において受信のための放送信号として決定された放送信号をチューナ２３に受信させているので、ユーザが候補として選択された放送信号のうちから選択した所望の放送信号の映像が第１筐体２の備えるＬＣＤ１６に表示される。携帯電話機１が視聴スタイルのときは、第１筐体２が備えるＬＣＤ１６は、映像を大きく表示することができるので、映像を見やすく表示することができる。
【００８５】
以上説明したように本実施の形態における携帯電話機１は、対応付テーブル３２Ａによって、第１筐体が第２筐体に相対する相対位置と、複数の放送信号とがそれぞれ対応付けられる。第１筐体の第２筐体に相対する相対位置が検出され、決定キーまたはタッチパネル１９を指示する操作と、第１筐体２を第２筐体３に対して回転させている途中で所定時間回転を停止させる操作のいずれかが検出されるときに、検出された相対位置に対応付けられた放送信号が複数の放送信号のうちから選択される。このため、第１筐体を第２筐体に相対的に移動させる簡単な操作によって、複数の放送信号のうちから１つを選択することができる。
【００８６】
また、第１筐体が前記第２筐体に相対して移動可能な第１の相対位置と第２の相対位置との間における第１筐体が第２筐体に相対する相対位置が検出されるので、オープンスタイルから放送信号の映像を表示するのに適した視聴スタイルに第１筐体を移動させる操作に放送信号を選択する操作を含ませることができる。このため、放送信号を選択する操作を簡略にすることができる。
【００８７】
さらに、第１筐体が第１の相対位置から第２の相対位置に移動する間に、決定キーまたはタッチパネル１９を指示する操作と、第１筐体２を第２筐体３に対して回転させている途中で所定時間回転を停止させる操作が複数検出された場合、検出された複数の操作それぞれが検出されたときに検出された複数の相対位置にそれぞれ対応付けられた複数の放送信号が候補信号として選択され、その後、第１筐体２が第２筐体３に対して第２の相対位置から第１の相対位置の方向に移動した後、複数の候補信号のうちから所定のタイミングで検出された相対位置に対応付けられた候補信号が受信のための放送信号に選択される。このため、候補となる放送信号が複数の場合、視聴スタイルからオープンスタイルに戻す操作の間で、候補となる複数の放送信号のうちから受信のための放送信号を選択することができる。したがって、候補として選択された複数の放送信号のうちから１つの放送信号を選択する操作を容易にすることができる。
【００８８】
さらに、第１筐体に設けられたＬＣＤ１６は、第１筐体２が第２筐体３に対して第２の相対位置にある視聴スタイルにおいて最大のサイズで映像を表示するので、ユーザは、映像が最大サイズで表示される視聴スタイルに携帯電話機１の形態を変化させる間に放送信号を選択することができる。
【００８９】
さらに、オープンスタイルから視聴スタイルに携帯電話機１の形態が変化する間は、第２筐体３に設けられた別のＬＣＤ１７に、受信された放送信号の映像が表示されるので、ユーザに対して移動する第１筐体に対して、ユーザに対して移動しない第２筐体に放送信号の映像を表示することができる。このため、放送信号を選択する操作をする際に、表示される映像を見やすく表示することができる。
【００９０】
さらに、第１筐体を第２筐体に相対して移動させる操作を所定時間停止させるだけで、放送信号が選択されるので、ユーザは、第１筐体を第２筐体に移動させる操作をする間に、放送信号を選択することができる。また、第１筐体を第２筐体に相対して移動させる操作を所定時間停止している間、同じ放送信号の映像が表示されるので、ユーザは放送信号の映像を見ながら放送信号を選択することができる。
【００９１】
なお、上述した実施の形態においては、携帯電話機１について説明したが、図８および図９、または図１１および図１２に示した処理を実行するための放送信号切換方法、またはその放送信号切換方法をコンピュータに実行させるための放送信号切換プログラムとして発明を捉えることができるのは言うまでもない。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９３】
＜付記＞
（１）  前記選択手段は、前記第１筐体が前記第２筐体に相対して移動可能な第１の相対位置と第２の相対位置との間の場合、前記複数の放送信号のうちから前記位置検出手段により検出される相対位置に対応付けられた放送信号を選択し、
前記携帯通信装置は、さらに、前記操作検出手段により前記所定の操作が検出されたときに前記選択されている放送信号を識別するための識別情報を記憶する記憶手段をさらに備え、
前記選択手段は、前記第２の相対位置の場合、前記複数の放送信号のうち前記記憶手段に記憶された前記識別情報で識別される放送信号を選択する、請求項１に記載の携帯通信装置。
（２）  前記第１筐体と第２筐体とを第１の回転軸および前記第１の回転軸と交わる第２の回転軸を中心に回転可能に連けるする連結手段をさらに備え、
前記第１筐体と前記第２筐体とは、前記第２の回転軸を中心に回転することにより、前記第１の相対位置から前記第２の相対位置に相対位置を変化させる、請求項２に記載の携帯通信装置。
（３）  前記所定のタイミングは、前記第１筐体が前記第２筐体に対して移動する方向が変化したときである、請求項３に記載の携帯通信装置。
（４）  前記所定のタイミングは、前記所定の操作が検出されたときである、請求項３に記載の携帯通信装置。
【図面の簡単な説明】
【００９４】
【図１】本発明の実施の形態の１つにおける携帯電話機の第１の斜視図である。
【図２】本発明の実施の形態の１つにおける携帯電話機の第２の斜視図である。
【図３】本発明の実施の形態の１つにおける携帯電話機の第３の斜視図である。
【図４】第１携帯電話機のハードウェア構成の一例を示すブロック図である。
【図５】携帯電話機が備えるＣＰＵが有する機能の一例を示す機能ブロック図である。
【図６】対応付テーブルの一例を示す図である。
【図７】候補テーブルの一例を示す図である。
【図８】放送信号切換処理の流れの一例を示す第１のフローチャートである。
【図９】放送信号切換処理の流れの一例を示す第２のフローチャートである。
【図１０】変形例における携帯電話機の斜視図である。
【図１１】変形例における放送信号切換処理の流れの一例を示す第１のフローチャートである。
【図１２】変形例における放送信号切換処理の流れの一例を示す第２のフローチャートである。
【符号の説明】
【００９５】
１  携帯電話機、２  第１筐体、３  第２筐体、５  ヒンジ部、１１  第１スピーカ、１２  第２スピーカ、１３  マイクロフォン、１５  操作キー、１６  ＬＣＤ、１７  別のＬＣＤ、１７Ａ，１８  タッチパネル、２１  ＣＰＵ、２２  無線回路、２２Ａ  アンテナ、２３  チューナ、２３Ａ  アンテナ、２５  操作部、２７  カードＩ／Ｆ、２７Ａ  メモリカード、２８  コーデック部、２９  ＡＶデコーダ、３０  表示制御部、３１  ＲＡＭ、３２  ＥＥＰＲＯＭ、４１  位置検出部、４２  選択部、４３  操作検出部、４４  候補選択部、４５  決定部、４６  計時部。
【図１】
2009218747.tif 000003
【図２】
2009218747.tif 000004
【図３】
2009218747.tif 000005
【図４】
2009218747.tif 000006
【図５】
2009218747.tif 000007
【図６】
2009218747.tif 000008
【図７】
2009218747.tif 000009
【図８】
2009218747.tif 000010
【図９】
2009218747.tif 000011
【図１０】
2009218747.tif 000012
【図１１】
2009218747.tif 000013
【図１２】
2009218747.tif 000014